(57)【要約】【課題】控え片を得られるとともに、隠蔽情報の改ざん防止に有効な、二種類の隠蔽情報所持体を選択作成できる隠蔽情報所持体用シートを提供する。【課題の解決手段】隠蔽情報所持体用シートたる隠蔽葉書用シート１は、隠蔽片２に、折り兼切り用ミシン目３，４を介して通知片５，６を設け、隠蔽片２の一面に、疑似接着したフィルム層７，８を有する積層構造１２と葉書表示１３を設けて積層構造１２を剥離シート１１で被覆し、各通知片５，６の一面側は複写記入面となって、分離可能な控え片２１，２２で被覆され、控え片２１，２２の表出面に記入した隠蔽情報が複写記入面に複写記入されるようになし、通知片５，６の一方が選択されて隠蔽情報が複写記入され、対応する控え片２０，２１を分離して、剥離シート１１を剥離した隠蔽片２の積層構造１２設置面に通知片５，６を折り重ねて隠蔽葉書とする。【選択図】図３
2011068075.tif 000002
【特許請求の範囲】
【請求項１】
折り兼切り部を介して連接した三紙片からなり、これら三紙片の少なくとも一つは隠蔽片で、残りは通知片であり、隠蔽片同士、通知片同士は互いに隣接しないようになして、隣接する隠蔽片と通知片の組み合わせを選択することで二種類の隠蔽情報所持体を作成しうる隠蔽情報所持体用シートであって、前記隠蔽片の一面側には、隠蔽片に対して剥離可能で剥離後に再接着不能、かつ透視可能な転移層を有する積層構造を設けて、積層構造の表出面に剥離シートを剥離可能に接着し、前記通知片は、前記積層構造設置面と同一面側を複写記入面として、分離可能な保護シートで被覆するとともに、前記保護シートの表出面に記入した隠蔽情報が対応する複写記入面に複写記入されるように、前記複写記入面と前記保護シートとの対向面には相対的に複写構造を設けてなり、前記隠蔽片と前記通知片のいずれか一方の前記積層構造設置面と反対面側には宛名表示を設けてなることを特徴とする隠蔽情報所持体用シート。
【請求項２】
隠蔽片の左右に通知片を連接してなることを特徴とする請求項１記載の隠蔽情報所持体用シート。
【請求項３】
剥離シートと保護シートとは、それぞれ各別のシートからなることを特徴とする請求項１または請求項２記載の隠蔽情報所持体用シート。
【請求項４】
隠蔽片に宛名表示を設け、前記隠蔽片の宛名表示面とは反対面側と、各通知片の前記宛名表示面側には、それぞれ地紋印刷を施してなることを特徴とする請求項２または請求項３記載の隠蔽情報所持体用シート。
【発明の詳細な説明】
【技術分野】
【０００１】
本発明は、隠蔽情報記入欄に記載した情報を隠蔽した状態で、表示された宛先に届けることのできる隠蔽情報所持体を作成するための隠蔽情報所持体用シートに関し、特に２種類の隠蔽情報所持体を選択作成することができる隠蔽情報所持体用シートに関する。
【背景技術】
【０００２】
従来から、折り重ねられる２枚、あるいは３枚の紙片の適宜な重ね合わせ面に隠蔽情報を表示し、この重ね合わせ面に接着後に剥離可能な接着剤を設ける一方、折り重ね時に露出する面側に宛名表示を表示し、この宛名表示の表示先に届けられる隠蔽情報所持体、及びこの隠蔽情報所持体を作成するための隠蔽情報所持体用シートは、種々の構成のものが知られている。また、特に、２種類の隠蔽情報所持体を作成するためのものとして、例えば、複数の宛先から選択した一つの宛先に隠蔽情報を伝達するために、複数の宛名表示片と接着後に剥離可能な粘着層を設けた一枚の隠蔽片とを備え、宛名表示片の隠蔽片で被覆される部分に隠蔽情報記入欄を設ける一方、隠蔽片で被覆されない部分に宛名表示をあらかじめ表示してなる隠蔽情報所持体用シートが提案されている（特許文献１）。
【先行技術文献】
【特許文献】
【０００３】
【特許文献１】特開２００７−１１８３９０号公報
【発明の概要】
【発明が解決しようとする課題】
【０００４】
しかし、この提案されている隠蔽情報所持体用シートは、隠蔽情報を記入した際に控えが欲しい場合には、そのコピーをとらなければならないので煩雑であるという不都合がある。また、隠蔽片を剥離可能に接着する粘着層は、一旦剥離しても、粘着力が残っている限り再接着可能であるため、隠蔽情報を改ざんした上隠蔽片を再接着した、不正開封を識別できないという不都合もある。本発明は、このような不都合を解消した隠蔽情報所持体用シートを提供することを目的とする。
【課題を解決するための手段】
【０００５】
この目的を達成するため本発明の請求項１に係る隠蔽情報所持体を作成するための隠蔽情報所持体用シートは、折り兼切り部を介して連接した三紙片からなり、これら紙片の少なくとも一つは隠蔽片で、残りは通知片であり、隠蔽片同士、通知片同士は互いに隣接しないようにして、隣接する隠蔽片と通知片の組み合わせを選択することで二種類の隠蔽情報所持体を作成しうる隠蔽情報所持体用シートであって、前記隠蔽片の一面側には、隠蔽片に対して剥離可能で剥離後に再接着不能、かつ透視可能な転移層を有する積層構造を設けて、積層構造の表出面に剥離シートを剥離可能に接着し、前記通知片の前記積層構造設置面と同一面側は複写記入面となって、分離可能な保護シートで被覆されるとともに、保護シートの表出面に記入した隠蔽情報が対応する複写記入面に複写記入されるように、複写記入面と保護シートとの対向面には相対的に複写構造が設けられてなり、前記隠蔽片と前記通知片のいずれか一方の前記積層構造設置面とは反対面側には宛名表示を設けてなるものである。
【０００６】
また、本発明の請求項２に係る隠蔽情報所持体を作成するための隠蔽情報所持体用シートは、上記請求項１の構成において、三紙片の連接は隠蔽片の左右に２つの通知片を設けてなるものである。
【０００７】
さらに、本発明の請求項３に係る隠蔽情報所持体を作成するための隠蔽情報所持体用シートは、上記請求項１または請求項２の構成において、剥離シートと保護シートを、互いに分離した各別のシートで構成したものである。
【０００８】
またさらに、本発明の請求項４に係る隠蔽情報所持体を作成するための隠蔽情報所持体用シートは、上記請求項２または請求項３の構成において、隠蔽片に宛名表示をなし、隠蔽片の宛名表示面とは反対面側、換言すると積層構造設置面側と、各通知片の前記宛名表示面側、換言すると積層構造設置面とは反対面側に、それぞれ地紋印刷を施してなるものである。
【発明の効果】
【０００９】
本発明に係る隠蔽情報所持体用シートによれば、保護シートを控えとして利用でき、また、作成した隠蔽情報所持体は、隠蔽片と重ね合わせて接着した通知片を剥離すると、隠蔽片から剥離した転移層は通知片側に接着して複写記入面を被覆するので、複写記入された隠蔽情報の改ざんを防止することができるとともに、一旦剥離した転移層は再接着不能なので、不正開封の識別も容易であるという効果を奏する。これらの効果に加えて、本発明の請求項３に係る隠蔽情報所持体用シートによれば、各紙片を三つ折りにする際に、剥離シートと保護シートは各別に構成されているので、各シートにシワが生じることなく、容易かつ確実に三つ折りすることができるという効果を奏するものであり、また、本発明の請求項４に係る隠蔽情報所持体用シートによれば、作成した隠蔽情報所持体において、地紋印刷が隠蔽情報を両面側から挟んで確実に隠蔽できるという効果を奏する。
【図面の簡単な説明】
【００１０】
【図１】本発明を隠蔽葉書用シートに適用した第１の実施形態における重ね合わせ接着面側を示す斜視図。
【図２】反対面側を示す平面図。
【図３】図１のＡ−Ａ線断面図。
【図４】隠蔽情報記入後に保護シートを剥離した状態の重ね合わせ接着面側を示す平面図。
【図５】作成した隠蔽葉書を示す斜視図。
【図６】隠蔽葉書の重ね合わせ接着面を剥離した状態を示す斜視図。
【図７】本発明を隠蔽葉書用シートに適用した第２の実施形態における重ね合わせ接着面側を示す斜視図。
【図８】反対面側を示す平面図。
【図９】図７のＢ−Ｂ線断面図。
【図１０】隠蔽情報記入後に保護シート及び剥離シートを剥離した状態の重ね合わせ接着面側を示す平面図。
【図１１】作成した隠蔽葉書を示す斜視図。
【図１２】隠蔽葉書の重ね合わせ接着面を剥離した状態を示す斜視図。
【発明を実施するための形態】
【００１１】
以下、本発明を隠蔽葉書を作成するための隠蔽葉書用シートに適用した実施形態について説明するが、まず、第１の実施形態について添付図面の図１〜図６に基づき説明する。
【００１２】
図１〜図３に示すように、隠蔽葉書用シート１は、隠蔽片２と、この隠蔽片２の両側にそれぞれ折り兼切り部たる折り兼切り用ミシン目３，４を介して連接した各通知片５，６とからなる。図３に示すように、前記隠蔽片２の一面側には、２つの透視可能なフィルム層７，８を剥離可能に疑似接着し、疑似接着面とは反対面側に公知の強い接着力を有する透視可能な接着剤を塗布してなる強接着剤層９，１０を設け、強接着剤層９で前記隠蔽片２に接着する一方、強接着剤層１０を剥離シート１１で被覆している。前記フィルム層７が隠蔽片２に対して剥離可能な転移層を構成し、各フィルム層７，８と各強接着剤層９，１０によって積層構造１２を構成する。
【００１３】
隠蔽片２の積層構造１２と折り兼切り用ミシン目３の間の帯状部分に、「郵便はがき」という葉書表示１３をあらかじめ設けている。また、図１に示すように、前記剥離シート１１の表出面には、隠蔽葉書用シート１の使用方法に関する説明文１４をあらかじめ表示している。なお、図示してないが、隠蔽片２の積層構造設置面には、宣伝文や案内文を表示しておくと好適である。
【００１４】
図２に示すように、隠蔽片２の積層構造１２設置面とは反対面側には、交差する斜線で示す地紋が印刷された地紋印刷部１５が設けられている。また、各通知片５，６の前記地紋印刷部１５と同一面側には、同一会社の「支払い取扱センター」に属するが、「口座振替係」と「クレジットカード係」というように宛先部署が互いに異なる宛名表示１６，１７をあらかじめ表示している。さらに、前記通知片５の上端部には、「郵便はがき」という葉書表示１８をあらかじめ設けている。
【００１５】
図１及び図３に示すように、各通知片５，６には、各折り兼切り用ミシン目３，４とは反対側の端縁に沿って間隔をおいて点状に塗布した接着剤１９，２０で、保護シートたる控え片２１，２２を接着し、各控え片２１，２２は所定以上の力で捲り上げると接着された各通知片５，６から分離可能となっている。各控え片２１，２２は裏面に複写用のカーボン層２３，２４を設けたバックカーボン紙であり、控え片２１の表出面には「口座振替申込書」という表題の下に、口座振替による支払いを希望する場合に、口座番号や口座名義人などの所定情報を記入する隠蔽情報記入欄２５が設けられている。また、控え片２２の表出面には「クレジットカード支払申込書」という表題の下に、クレジットカードによる支払いを希望する場合に、カード番号やカード名義人などの所定情報を記入する隠蔽情報記入欄２６が設けられている。
【００１６】
図４に示すように、各通知片５，６の各カーボン層２３，２４との対向面が複写記入面となって、控え片２１，２２の隠蔽情報記入欄２５，２６に記入した隠蔽情報が複写記入面に設けた隠蔽情報複写記入欄２７，２８に複写記入される。
【００１７】
通知片５，６の一方と隠蔽片２との２片の組み合わせで隠蔽葉書となる隠蔽葉書用紙片を形成するもので、前記通知片５と前記隠蔽片２は同一幅であり、前記通知片６の幅は前記通知片５と前記隠蔽片２の幅よりも葉書表示１３を設けている帯状部分だけ狭くなっている。したがって、通知片５を選択して、折り兼切り用ミシン目３から隠蔽片２の積層構造１２側に折り重ねた場合には、葉書表示１８が露出し、通知片６を選択して、折り兼切り用ミシン目４から隠蔽片２の積層構造１２側に折り重ねた場合には、葉書表示１３が露出することになる。
【００１８】
続いて、上述した隠蔽葉書用シート１の使用方法を説明する。隠蔽葉書用シート１は、図１〜図３状態において各通知片５，６を控え片２１，２２とともに各折り兼切り用ミシン目３，４で隠蔽片２の剥離シート１１側に折り重ねた三つ折り状態で、封筒（図示せず）に挿入封緘し、電話会社やリース会社など定期的に支払いが発生するサービス提供会社から顧客に郵送される。この三つ折りの際、剥離シート１１と各控え片２１，２２は別体に構成されているので、シワになることなく、容易、かつ確実に折り重ねることができる。
【００１９】
封筒を受領した顧客は、封筒から隠蔽葉書用シート１を取り出して図１〜図３状態に展開し、説明文１４を読んで支払いを口座振替で行なうか、クレジットカードで行なうかを決定したうえ、決定結果に応じて通知片５，６を選択して、対応する控え片２１，２２の隠蔽情報記入欄２５，２６に所定事項を記入する。
【００２０】
ここで例えば、クレジットカード支払いを選択した場合には、控え片２２の隠蔽情報記入欄２６に必要事項を記入すると、同一事項が通知片６の隠蔽情報複写記入欄２８に複写記入される（図４参照）。その後、あるいは記入前における適宜な時期に、もう一方の通知片５を控え片２１とともに折り兼切り用ミシン目３を破断して切り離す。次いで、前記控え片２２を前記通知片６から分離する一方、剥離シート１１を剥離し、露出した積層構造１２の強接着剤層１０に対して、折り兼切り用ミシン目４から前記通知片６を折り重ねて接着する。これによって、図５に示すように、葉書表示１３及び宛名表示１７が露出し、隠蔽情報複写記入欄２８に複写記入した隠蔽情報２９（図４参照）が隠蔽片２よって被覆隠蔽された隠蔽葉書３０が作成される。
【００２１】
隠蔽葉書３０は、既に宛名表示１７が表示されているので、このまま通常の官製葉書と同様に使用可能である。この隠蔽葉書３０を受領した、サービス提供会社では、通知片６を隠蔽片２から捲り上げると、各フィルム層７，８の疑似接着面から剥離し、フィルム層８は隠蔽片２側に残り、フィルム層７は通知片６側に転移して、隠蔽情報２９を被覆保護した見開き状態となる（図６参照）。したがって、図６に示すように、隠蔽情報２９はフィルム層７を透して確認することができ、記入内容に応じた処理を行うものである。そして、フィルム層７で被覆された隠蔽情報２９を改ざんすることはできない。また、一旦剥離したフィルム層７は再接着不能であるから不正開封の識別も容易である。
【００２２】
なお、上述の例とは逆に、口座振替による支払いを選択して控え片２１の隠蔽情報記入欄２５に所定情報を記入した場合にも、控え片２２とともに通知片６を折り兼切り用ミシン目４を破断して切り離す一方、控え片２１を通知片５から分離するとともに剥離シート１１を剥離して、表出面側に宛名表示１６及び葉書表示１８を設けた通知片５と隠蔽片２とから上述と同様にして隠蔽葉書（図示せず）を作成し、これを使用することができる。この場合も、見開き状態において、通知片５の隠蔽情報複写記入欄２７に複写記入された隠蔽情報はフィルム層７で被覆保護され、隠蔽情報の改ざんは防止されるとともに、このフィルム層７を透して隠蔽情報を確認することができる。また、一旦剥離したフィルム層７は再接着不能であるから不正開封の識別も容易である。
【００２３】
続いて、本発明を隠蔽葉書を作成するための隠蔽葉書用シートに適用した第２の実施形態について添付図面の図７〜図１２に基づき説明する。
【００２４】
図７〜図９に示すように、隠蔽葉書用シート４１は、隠蔽片４２と、この隠蔽片４２の両側にそれぞれ折り兼切り部たる折り兼切り用ミシン目４３，４４を介して連接した各通知片４５，４６とからなる。図９に示すように、前記隠蔽片４２の一面側には、２つの透視可能なフィルム層４７，４８を剥離可能に疑似接着し、疑似接着面とは反対面側に公知の強い接着力を有する透視可能な接着剤を塗布してなる強接着剤層４９，５０を設け、強接着剤層４９で前記隠蔽片４２に接着している。前記フィルム層４８が隠蔽片４２に対して剥離可能な転移層を構成し、各フィルム層４７，４８と各強接着剤層４９，５０によって積層構造５１を構成する。
【００２５】
図８に示すように、隠蔽片４２の積層構造５１設置面とは反対面側には、葉書表示５２と宛名表示５３をあらかじめ表示している。また、各通知片４５，４６の前記宛名表示５３表示面と同一面側には、交差する斜線で示す地紋が印刷された地紋印刷部５４，５５が設けられている。なお、図９には図示していないが、隠蔽片４２の積層構造５１設置面には、地紋が印刷された地紋印刷部５６が設けられている（図１０，１２参照、交差する斜線で示している）。
【００２６】
図７及び図９に示すように、隠蔽片４２と各通知片４５，４６には、各折り兼切り用ミシン目５７，５８を介して連接されてなる各同一大の剥離シート５９及び保護シートたる各控え片６０，６１を重ね合わせている。前記剥離シート５９は、裏面に設けた剥離剤層（図示せず）によって、強接着層部５０に剥離可能に接着している。そして、前記剥離シート５９の表出面には、隠蔽葉書用シート４１の使用方法に関する説明文６２をあらかじめ表示している。
【００２７】
図９に示すように、各控え片６０，６１は、各通知片４５，４６に、各折り兼切り用ミシン目４３，４４に沿って間隔をおいて点状に塗布した接着剤６３，６４で接着され、各控え片６０，６１は所定以上の力で捲り上げると接着された各通知片４５，４６から分離可能となっている。各控え片６０，６１の裏面には、公知の発色剤を塗布してなる発色剤層６５，６６を設ける一方、各通知片４５，４６には、前記各発色剤層６５，６６と対向するように公知の顕色剤を塗布してなる顕色剤層６７，６８を設けて、複写構造を構成している。
【００２８】
図７に示すように、控え片６０の表出面には「口座振替申込書」という表題の下に、口座振替による支払いを希望する場合に、口座番号や口座名義人などの所定情報を記入する隠蔽情報記入欄６９が設けられている。また、控え片６１の表出面には「クレジットカード支払申込書」という表題の下に、クレジットカードによる支払いを希望する場合に、カード番号やカード名義人などの所定情報を記入する隠蔽情報記入欄７０が設けられている。
【００２９】
図１０に示すように、図９の顕色剤層６７，６８設置面に対応する各通知片４５，４６面が複写記入面となって、控え片６０，６１の隠蔽情報記入欄６９，７０に記入した隠蔽情報が複写記入面に設けた隠蔽情報複写記入欄７１，７２に複写記入される。
【００３０】
隠蔽片４２と通知片４５，４６の一方との２片の組み合わせで隠蔽葉書となる隠蔽葉書用紙片を形成するもので、前記隠蔽片４２と前記各通知片４５，４６、及びこれらと重ねられた剥離シート５９と各控え片６０，６１は、すべて同一大に形成されている。
【００３１】
続いて、上述した隠蔽葉書用シート４１の使用方法を説明する。隠蔽葉書用シート４１は、図７〜図９状態において各通知片４５，４６を控え片６０，６１とともに、各折り兼切り用ミシン目４３，４４，５７，５８で隠蔽片４２の剥離シート５９側に折り重ねた三つ折り状態で、封筒（図示せず）に挿入封緘し、電話会社やリース会社など定期的に支払いが発生するサービス提供会社から顧客に郵送される。封筒を受領した顧客は、封筒から隠蔽葉書用シート４１を取り出して図７〜図９状態に展開し、説明文６２を読んで支払いを口座振替で行なうか、クレジットカードで行なうかを決定したうえ、決定結果に応じて通知片４５，４６を選択して、対応する控え片６０，６１の隠蔽情報記入欄６９，７０に所定事項を記入する。
【００３２】
ここで例えば、口座振替を選択した場合には、控え片６０の隠蔽情報記入欄６９に必要事項を記入すると、同一事項が通知片４５の隠蔽情報複写記入欄７１に複写記入される（図１０参照）。その後、あるいは記入前の適宜な時期に、もう一方の通知片４６を控え片６１とともに折り兼切り用ミシン目４４、５８を破断して切り離す。次いで、前記控え片６０を折り兼切り用ミシン目５７を破断しながら通知片４５から分離する一方、剥離シート５９を剥離し、露出した隠蔽片４２の積層構造５１における強接着剤層５０に対して、折り兼切り用ミシン目４３から前記通知片４５を折り重ねて接着する。これによって、図１１に示すように、葉書表示５２及び宛名表示５３が露出し、隠蔽情報複写記入欄７１に複写記入した隠蔽情報７３（図１０参照）が隠蔽片４２よって被覆隠蔽された隠蔽葉書７４が作成される。この際、隠蔽情報７３は地紋印刷部５４，５６を設けた面に挟まれた状態となるので、隠蔽葉書７４の表出面側から視認されることがなく、確実に隠蔽された状態となる。
【００３３】
隠蔽葉書７４は、既に宛名表示５３が表示されているので、このまま通常の官製葉書と同様に使用可能である。この隠蔽葉書７４を受領した、サービス提供会社では、隠蔽片４２を通知片４５から捲り上げると、疑似接着された２つのフィルム層４７，４８は剥離可能なので、フィルム層４８が通知片４５側に転移した見開き状態となり、図１２に示すように、フィルム層４８を透して隠蔽情報７３を確認することができる。そして、サービス提供会社は、記入内容に応じた処理を行うものである。そして、フィルム層４８で被覆された隠蔽情報７３を改ざんすることはできない。また、一旦剥離したフィルム層４８は再接着不能であるから不正開封の識別も容易である。
【００３４】
なお、上述の例とは逆に、クレジットカードによる支払いを選択して控え片６１の隠蔽情報記入欄７０に所定情報を記入した場合にも、控え片６０とともに通知片４５を各折り兼切り用ミシン目４３，５７を破断して切り離し、さらに、折り兼切り用ミシン目５８を破断しながら控え片６１を通知片４６から分離するとともに剥離シート５９を剥離して、隠蔽片４２と通知片４６とから上述と同様にして隠蔽葉書（図示せず）を作成し、これを使用することができる。この場合も、見開き状態において、通知片４６の隠蔽情報複写記入欄７２に複写記入された隠蔽情報はフィルム層４８で被覆保護され、隠蔽情報の改ざんは防止されるとともに、このフィルム層４８を透して隠蔽情報を確認することができる。また、一旦剥離したフィルム層４８は再接着不能であるから不正開封の識別も容易である。
【００３５】
なお、本発明は、上述の各実施形態に限定されるものではなく、例えば、隠蔽情報２９，７３を複写記入する為の複写構造は、カーボン層２３，２４や発色剤６５，６６と顕色剤６７，６８の組み合わせに換えて、自己発色剤を用いてもよい。また、折り兼切り部は、ミシン目３，４，４３，４４に限らず、折り切り指示線でもよいものである。さらに、積層構造１２，５１は、疑似接着した２つのフィルム層７，８，４７，４８に換えて、疑似接着したメジウムインキ層と透視可能なニス層との層間剥離によりニス層が通知片５，６，４５，４６側に転移して隠蔽情報２９，７３を被覆保護する構成や、１つのフィルム層を隠蔽片２，４２に弱接着剤層を介して疑似接着し、このフィルム層が通知片５，６，４５，４６側に転移して隠蔽情報２９，７３を被覆保護する構成でもよい。またさらに、葉書表示１３，１８，５２の位置も変更可能である。
【符号の説明】
【００３６】
１，４１      隠蔽葉書用シート
２，４２      隠蔽片
３，４，４３，４４，５７，５８      折り兼切り用ミシン目
５，６，４５，４６      通知片
７，８，４７，４８      フィルム層
９，１０，４９，５０      強接着剤層
１１，５９      剥離シート
１２，５１      積層構造
１３，１８，５２      葉書表示
１４，６２      説明文
１５，５４，５５，５６      地紋印刷部
１６，１７，５３      宛名表示
１９，２０、６３，６４      接着剤
２１，２２，６０，６１      控え片
２３，２４      カーボン層
２５，２６，６９，７０      隠蔽情報記入欄
２７，２８，７１，７２      隠蔽情報複写記入欄
２９，７３      隠蔽情報
３０，７４      隠蔽葉書
６５，６６      発色剤層
６７，６８      顕色剤層
【図１】
2011068075.tif 000003
【図２】
2011068075.tif 000004
【図３】
2011068075.tif 000005
【図４】
2011068075.tif 000006
【図５】
2011068075.tif 000007
【図６】
2011068075.tif 000008
【図７】
2011068075.tif 000009
【図８】
2011068075.tif 000010
【図９】
2011068075.tif 000011
【図１０】
2011068075.tif 000012
【図１１】
2011068075.tif 000013
【図１２】
2011068075.tif 000014